【手続補正書】
【提出日】平成19年9月18日(2007.9.18)
【手続補正１】
【補正対象書類名】明細書
【補正対象項目名】特許請求の範囲
【補正方法】変更
【補正の内容】
【特許請求の範囲】
【請求項１】
地震測定システムであって、
地震活動に関連するデータを収集するための複数のデジタイザ装置及び関連する地中聴音器と、
基地ＧＰＳ受信機及び十分な上空視野を有する関連するアンテナであって、前記基地ＧＰＳ受信機は、ＧＰＳ衛星信号を取得して追跡し、距離情報を生成することからなる、基地ＧＰＳ受信機及び関連するアンテナと、
複数のスレーブＧＰＳ受信機であって、それぞれが、各デジタイザ装置の位置にあり、さまざまな時刻において、いくつかの上空位置にあるＧＰＳ衛星からの信号が、１つ以上の前記スレーブＧＰＳ受信機において多経路によって利用できないか、または、弱められるか、または破損する位置で前記１つ以上のスレーブＧＰＳ受信機が動作し、前記スレーブＧＰＳ受信機は、ＧＰＳ衛星信号を取得して追跡し、距離情報を生成することからなる、複数のスレーブＧＰＳ受信機と、
データ記録及びコントロールセンター
を備え、
前記データ記録及びコントロールセンターは、
前記基地受信機及び前記スレーブ受信機からの距離情報を長時間にわたって収集し、その情報をバッチ処理して、前記それぞれのスレーブＧＰＳ受信機及び関連するデジタイザ装置の位置を計算し、及び、
前記それぞれのデジタイザ装置によって提供されるデータを収集し解析して、地震測定値を生成する
ことからなる、システム。
【請求項２】
前記基地ＧＰＳ受信機は、視野内のＧＰＳ衛星に関連する追跡支援情報を提供し、
前記スレーブＧＰＳ受信機は、前記ＧＰＳ衛星からの信号を取得し追跡する際に、前記追跡支援情報を利用する
ことからなる、請求項１のシステム。
【請求項３】
前記スレーブＧＰＳ受信機は、さらに、前記デジタイザ装置によるデータ収集のタイミングを制御するためにタイミング信号を生成する、請求項２のシステム。
【請求項４】
前記データ記録及びコントロールセンターは、前記計算された位置を前記それぞれのスレーブＧＰＳ受信機に返し、
前記それぞれのスレーブＧＰＳ受信機は、前記計算された位置及び前記追跡支援情報を利用して、少なくとも１つのＧＰＳ衛星からの信号を取得して追跡し、前記追跡したＧＰＳ衛星信号内のコードのタイミングに関連付けられたタイミング信号を生成する
ことからなる、請求項２のシステム。
【請求項５】
前記追跡支援情報が、視野内にある衛星のリストと、関連するドップラー周波数オフセット及びブロードキャストデータシンボルを有する、請求項２のシステム。
【請求項６】
ＧＰＳ衛星信号を追跡していないスレーブＧＰＳ受信機に関連したデジタイザ装置が、少なくとも１つのＧＰＳ衛星信号を追跡している近くのスレーブＧＰＳ受信機によって提供されるタイミング信号を使用する、請求項３のシステム。
【請求項７】
前記基地ＧＰＳ受信機は、前記デジタイザ装置のうちの１つデジタイザ装置の位置に配置される、請求項１のシステム。
【請求項８】
前記基地ＧＰＳ受信機に関連したアンテナが塔に配置される、請求項１のシステム。
【請求項９】
それぞれのスレーブＧＰＳ受信機の上空の視野が制限されている、請求項１のシステム。
【請求項１０】
地震測定システムであって、
地震活動に関連するデータを収集するための複数のデジタイザ装置及び関連する地中聴音器と、
上空の少なくとも一部分について十分な視野を有する１つ以上の基地ＧＰＳ受信機であって、視野内のＧＰＳ衛星に関連する追跡支援情報を提供する、１つ以上の基地ＧＰＳ受信機と、
前記デジタイザ装置の残りの位置にある複数のスレーブＧＰＳ受信機であって、さまざまな時刻において、いくつかの上空位置にあるＧＰＳ衛星からの信号が、１つ以上の前記スレーブＧＰＳ受信機において多経路によって利用できないか、または、弱められるか、または破損する位置で前記１つ以上のスレーブＧＰＳ受信機が動作し、前記スレーブＧＰＳ受信機が、前記追跡支援情報を利用して、前記ＧＰＳ衛星からの信号を取得して追跡し、前記追跡したＧＰＳ衛星信号内のコードのタイミングに関連付けられたタイミング信号を生成して、前記デジタイザ装置によるデータ収集のタイミングを制御することからなる、複数のスレーブＧＰＳ受信機と、
前記それぞれのデジタイザ装置により提供されるデータを収集して解析するためのデータ記録及びコントロールセンター
を備える、システム。
【請求項１１】
前記基地ＧＰＳ受信機及び前記スレーブＧＰＳ受信機は関連する距離情報を生成し、
前記データ記録及びコントロールセンターは、長時間にわたって前記スレーブＧＰＳ受信機から距離情報を収集し、その情報をバッチ処理して、前記それぞれのスレーブＧＰＳ受信機の位置を計算する
ことからなる、請求項１０のシステム。
【請求項１２】
前記データ記録及びコントロールセンターは、前記計算された位置を前記それぞれのスレーブＧＰＳ受信機に返し、
前記それぞれのスレーブＧＰＳ受信機は、前記計算された位置及び前記追跡支援情報を利用して、少なくとも１つのＧＰＳ衛星からの信号を取得して追跡する
ことからなる、請求項１１のシステム。
【請求項１３】
前記基地ＧＰＳ受信機は、上空の各部分に関連する追跡支援情報を提供し、その上空の各部分に対して、前記それぞれの基地ＧＰＳ受信機の視野が妨害されないことからなる、請求項１０のシステム。
【請求項１４】
前記１つ以上の基地ＧＰＳ受信機は、それぞれ、デジタイザ装置の位置に配置される、請求項１０のシステム。
【請求項１５】
地震測定システムであって、
地震活動に関連するデータを収集するための複数のデジタイザ装置及び関連する地中聴音器と、
基地受信機及び十分な上空視野を有する関連するアンテナであって、前記基地受信機は、衛星信号を取得して追跡し、距離情報を生成することからなる、基地受信機及び関連するアンテナと、
複数のスレーブ受信機であって、それぞれが、各デジタイザ装置の位置にあり、さまざまな時刻において、いくつかの上空位置にある衛星からの信号が、１つ以上の前記スレーブ受信機において多経路によって利用できないか、または、弱められるか、または破損する位置で前記１つ以上のスレーブ受信機が動作し、前記スレーブ受信機は、衛星信号を取得して追跡し、距離情報を生成することからなる、複数のスレーブ受信機と、
データ記録及びコントロールセンター
を備え、
前記データ記録及びコントロールセンターは、
前記基地受信機及び前記スレーブ受信機からの距離情報を長時間にわたって収集し、その情報をバッチ処理して、前記それぞれのスレーブ受信機及び関連するデジタイザ装置の位置を計算し、
前記計算された位置を前記スレーブ受信機に送り、及び、
前記それぞれのデジタイザ装置によって提供されるデータを収集し解析して、地震測定値を生成し、
前記スレーブ受信機は、前記衛星信号を取得して追跡するのを支援するために前記計算された位置を使用する
ことからなる、システム。
【請求項１６】
前記スレーブ受信機は、さらに、前記デジタイザ装置によるデータ収集のタイミングを制御するために、少なくとも１つの衛星からの信号に基づいてタイミング信号を生成する、請求項１５のシステム。
【請求項１７】
前記基地受信機は、視野内の衛星に関連する追跡支援情報を提供し、
前記スレーブ受信機は、さらに、前記衛星からの信号を取得し追跡する際に、前記追跡支援情報を利用する
ことからなる、請求項１６のシステム。
【請求項１８】
地震測定を行う方法であって、
Ａ．複数の地震測定場所において地震活動に関連するデータを収集するステップと、
Ｂ．前記複数の地震測定場所において、衛星信号を取得して追跡し、距離情報を生成するステップであって、前記場所の１つ以上が、制限された上空視野を有する、ステップと、
Ｃ．少なくとも上空の一部分において十分に見通しのよい視野を有する１つ以上の基地位置から、衛星信号を取得して追跡し、距離情報を生成するステップと、
Ｄ．制限された上空視野を有する場所及び基地位置から長時間にわたって距離情報を収集し、その情報をバッチ処理して、前記距離情報が収集されたそれぞれの地震測定場所の位置を計算するステップと、
Ｅ．前記地震活動データを収集し解析して、それぞれの地震測定場所に関連する地震測定値を生成するステップと、
Ｆ．所与の場所における地震活動を判定する処理のために、前記計算された位置及び前記地震測定値を記憶するステップ
を含む、方法。
【請求項１９】
１つ以上の基地位置から視野内にある衛星に関連する追跡支援情報を提供するステップと、
前記衛星からの信号を取得し追跡する際に、前記地震測定場所において前記追跡支援情報を利用するステップ
をさらに含む、請求項１８の方法。
【請求項２０】
前記計算された位置を前記それぞれの場所に返すステップと、
前記それぞれの場所において、前記計算された位置と前記追跡支援情報を利用して、少なくとも１つの衛星からの信号を取得して追跡し、及び、前記追跡した衛星信号内のコードのタイミングに関連付けられたタイミング信号を生成するステップ
をさらに含む、請求項１９の方法。
【請求項２１】
前記複数のデジタイザ装置による地震活動データ収集のタイミングを制御するためにタイミング信号を生成するステップをさらに含む、請求項１９の方法。
【請求項２２】
前記場所が少なくとも１つの衛星信号を追跡していないときに、近くの地震測定場所にタイミング信号を提供するステップをさらに含む、請求項２１の方法。
【請求項２３】
追跡支援情報を提供する前記ステップが、視野内にある衛星のリストと、関連するドップラー周波数オフセット及びブロードキャストデータシンボルを提供するステップを含む、請求項１９の方法。
【請求項２４】
地震測定が前記基地位置で行われる、請求項１８の方法。
【請求項２５】
地震測定を行うための方法であって、
複数の場所で地震活動に関連するデータを収集するステップと、
上空の少なくとも一部分について十分な視野を有する１つ以上の場所において、視野内にある衛星に関連する追跡支援情報を生成し、他の場所に前記追跡支援情報を提供するステップと、
視野が制限されている場所で前記追跡支援情報を利用して、衛星からの信号を取得して追跡し、デジタイザ装置によるデータ収集のタイミングを制御するために、前記追跡した衛星信号内のコードのタイミングに関連付けられたタイミング信号を生成するステップであって、前記視野が制限されている場所では、さまざまな時刻において、いくつかの上空位置にある前記衛星からの信号が、多経路によって利用できないか、または、弱められるか、または破損することからなる、ステップと、
前記地震活動データを収集し解析して地震測定データを生成するステップと、
前記場所における地震活動を判定する処理のために、前記地震測定データを記憶するステップ
を含む、方法。
【請求項２６】
前記視野が制限されている場所及び十分な視野を有する場所から長時間にわたって距離情報を収集し、その情報をバッチ処理して、視野が制限されているそれぞれの場所の位置を計算するステップと、
前記計算された位置を前記視野が制限されているそれぞれの場所に返すステップと、
前記視野が制限されているそれぞれの場所において、前記計算された位置と前記追跡支援情報を利用して、少なくとも１つの衛星からの信号を取得して追跡するステップ
をさらに含む、請求項２５の方法。
【請求項２７】
追跡支援情報を提供する前記ステップが、所与の場所に対して前記上空の各部分に関連する追跡支援情報を提供するステップを含み、その上空の各部分に対して、前記視野が妨害されない、請求項２５の方法。